(57)【要約】無線のセクタ化された通信セルにおける情報の異なるサイズ符号化ブロックを通信するための方法および装置が記述される。情報は、情報、情報のタイムクリティカリル性および干渉の許容レベルを表すビット数に基づいて誤り訂正符号化ビットを含んでもよい、大きい、中間および小さい符号化ブロックに形成され、分類されてもよい。隣接セクタ間で完全なトーンオーバーラップを備えるチャネル、隣接セクタ間でトーンオーバーラップがないチャネル、および隣接セクタ間で部分的にトーンオーバーラップするチャネルは、異なるサイズブロックのために用いられる。完全なトーンオーバーラップに満たないチャネルに対応するいくつかのトーンは、隣接セクタにおいて未使用のままであり、それによって完全な送信トーンオーバーラップより少なくなる。大きな送信ブロックは完全なトーンオーバーラップチャネルを用いて送信され、中位の送信ブロックは部分的なトーンオーバーラップチャネルを用いて送信され、小さな送信ブロックは隣接セクタにおいて送信トーンオーバーラップを用いずに送信される。
2010530182.tif 000002
【特許請求の範囲】
【請求項１】
基地局、第１セクタおよび第２セクタを含む無線のセクタ化された周波数分割多重通信セルにおける情報のブロックを通信する方法であって、前記第２セクタは前記第１セクタに隣接して位置され、前記ブロックは第１サイズのブロック、第２サイズのブロック、および第３サイズのブロックを含み、
前記方法は、
前記第１および第２セクタのそれぞれにおいて第１通信チャネルにトーンの第１セットを割り当て、
前記第１および第２セクタのそれぞれにおいて第２通信チャネルにトーンの第２セットを割り当て、
前記第１および第２セクタのそれぞれにおいて第３通信チャネルにトーンの第３セットを割り当て、
前記トーンが前記第１セクタにおいて情報を通信するために用いられていて、トーンの前記第１セットにおける前記トーンを前記第２セクタにおいて未使用にさせる間、前記第１サイズのブロックに対応する情報を通信するために第１期間中に前記第１セクタにおけるトーンの前記第１セットを用い、
第２期間中に前記第２サイズのブロックに対応する情報を通信するために前記第１および第２セクタにおけるトーンの前記第２セットを用い、前記第２期間中にトーンの前記第２セットを用いることのステップは、
同じトーンを用いて同時に前記第１および第２セクタの両方において前記第２サイズのブロックに対応する情報を送信し、前記同じトーンはトーンの前記第２セットにおけるトーンの第１サブセットであり、
前記第１セクタにおいて情報を送信するために用いられる第２サブセットにおける前記トーンが前記第２セクタにおいて未使用になる間、トーンの前記第２セットにおけるトーンの前記第２サブセットを用いて前記第１セクタにおいて前記第２サイズのブロックに対応する情報を送信し、
前記第２セクタにおいて情報を送信するために用いられる第３サブセットにおける前記トーンが前記第１セクタにおいて未使用になる間、トーンの前記第２セットにおけるトーンの前記第３サブセットを用いて前記第２セクタにおいて前記第２サイズのブロックに対応する情報を送信することを含み、
第３期間中に前記第３サイズのブロックに対応する情報を通信するために前記第１および第２セクタにおけるトーンの前記第３セットを用い、トーンの前記第３セットにおける前記トーンは前記第１および第２セクタにおいて情報を同時に送信するために用いられることを具備する方法。
【請求項２】
基地局、第１セクタおよび第２セクタを含む無線のセクタ化された周波数分割多重通信セルにおける情報のブロックを通信する方法であって、前記第２セクタは前記第１セクタに隣接して位置し、前記ブロックは第１サイズのブロック、第２サイズのブロック、および第３サイズのブロックを含み、
前記方法は、
前記第２セクタにおいて未使用になる間、前記第１セクタにおいて信号を送信するために用いられるために、トーンの第１セットを第１通信チャネルに割り当て、
前記第１および第２セクタのそれぞれにおいて信号を送信するために用いられるために、トーンの第２セットを第２通信チャネルに割り当て、
前記第２セクタにおいて未使用になる間、前記第１セクタにおいて信号を送信するために用いられるために、トーンの第３セットを前記第２通信チャネルに割り当て、
前記第１および第２セクタにおいてトーンを送信するために用いられるために、トーンの第４セットを、第３通信チャネルに割り当て、
トーンの前記第１セットにおける前記トーンを前記第２セクタにおいて未使用にさせる間、前記第１サイズのブロックに対応する情報を通信するために第１期間中に前記第１セクタにおいてトーンの前記第１セットを用い、
トーンの前記第２セットが前記第２セクタにおける前記第２サイズのブロックに対応する情報を送信するために用いられ、トーンの前記第３セットが前記第２セクタにおいて未使用になる間、第２期間中に前記第２サイズのブロックに対応する前記第１セクタにおいて情報を通信ためにトーンの前記第２および第３セットを用い、
第３期間中に前記第３サイズのブロックに対応する情報を同時に通信するために前記第１および第２セクタにおけるトーンの前記第４セットを用いることを具備する方法。
【請求項３】
セクタ化された周波数分割多重通信セルの第１セクタおよび第２セクタへの符号化ブロックの送信を制御する基地局であって、前記第２セクタは前記第１セクタに隣接して位置し、前記ブロックは第１サイズのブロック、第２サイズのブロック、および第３サイズのブロックを含み、
前記基地局は、
前記第１および第２セクタのそれぞれにおいて用いるためにトーンを割り当てるトーン割り当て手段と、該トーンを割り当てる手段は、前記第１および第２セクタのそれぞれにおいて第１通信チャネルにトーンの第１セットを割り当て、前記第１および第２セクタのそれぞれにおいて第２通信チャネルにトーンの第２セットを割り当て、前記第１および第２セクタのそれぞれにおいて第３通信チャネルにトーンの第３セットを割り当て、
１）前記トーンが前記第１セクタにおいて情報を通信するために用いられていて、トーンの前記第１セットにおける前記トーンを前記第２セクタにおいて未使用にさせる間、前記第１サイズのブロックに対応する情報を通信するために第１期間中に前記第１セクタにおけるトーンの前記第１セットを用い、
２）第２期間中に前記第２サイズのブロックに対応する情報を通信するために前記第１および第２セクタにおいてトーンの前記第２セットを用い、トーンの前記第２セットを用いることのステップ、すなわちトーンの前記第２セットを用いることは、
前記第１セクタにおいて情報を送信するために用いられる第２サブセットにおける前記トーンが前記第２セクタにおいて未使用になる間、トーンの前記第２セットの中のトーンの前記第２サブセットを用いて前記第１セクタにおいて前記第２サイズのブロックに対応する情報を送信するために、同じトーンを用いて同時に前記第１および第２セクタの両方において前記第２サイズのブロックに対応する情報を送信することと、ここで前記同じトーンはトーンの前記第２セットにおけるトーンの第１サブセットであり、
前記第２セクタにおいて情報を送信するために用いられる第３サブセットにおける前記トーンが前記第１セクタにおいて未使用になる間、トーンの前記第２セットの中のトーンの前記第３サブセットを用いて前記第２セクタにおいて前記第２サイズのブロックに対応する情報を送信することと、を含み、
３）第３期間中に前記第３サイズのブロックに対応する情報を通信するために前記第１および第２セクタにおけるトーンの前記第３セットを用い、トーンの前記第３セットにおける前記トーンは前記第１および第２セクタにおいて情報を同時に送信するために用いられる、通信手段と、を具備する基地局。
【発明の詳細な説明】
【技術分野】
【０００１】
本発明は、通信システムに関し、より詳細には、リソース、例えばセクタ化されたセルラー通信ネットワークにおける時間上の帯域幅を割り当てる方法及び装置に関する。
【背景技術】
【０００２】
セルラー無線システムでは、サービスエリアは、一般的にセルと呼ばれる多くのカバレッジゾーンに分割される。各セルは、多くのセクタにさらに細分されてもよい。基地局は、異なるセクタにおいて異なる周波数を用いて、またある場合には、各セクタにおいて同じ周波数帯域を再利用して、基地局のセルの各セクタにおける無線端末へダウンリンクチャネル上で情報を同時に送信してもよい。無線端末は、例えば、携帯電話および無線モデムを備えたパーソナルデジタルアシスタントのような他のモバイル送信機を含む広範囲なモバイルデバイスを含んでもよい。
【０００３】
セクタ化されたセルラー通信システムに関する問題は、第１無線端末を対象とするセルの第１セクタへの基地局による送信が、第２無線端末を対象にした第２セクタへの基地局からの送信と干渉するかもしれないということである。１つのセルの複数のセクタの場合には、送信機および隣接する基地局のアンテナが、異なるセルに位置される場合に、送信機接近のせいで、この干渉が隣接するセル送信の場合よりも著しく大きくなり得る。
【０００４】
セクタ間干渉は、例えば両方のセクタ基地局送信からの受信信号強度レベルが無線端末で測定されたときにほとんど等しい領域である、セクタ境界領域に位置する無線端末にとって特に問題である。セクタ間干渉は、隣接セクタにおける同じ帯域幅からの送信を制限することで低減され、送信信頼性を高める結果をもたらすかもしれないが、これはシステム全体のキャパシティを下げるという悪影響を有する。異なる種類の情報は、例えば、異なるブロックサイズおよび／または異なる誤り訂正符号の量、ある場合では誤り訂正符号なしで用いることで、たびたび異なって符号化される。一般的に、信号符号化のいくつかの形式が用いられ、符号化に用いるブロックサイズが大きいほど、例えば符号化ブロックにおける１以上の異なる位置で１または小数の連続したビットが欠落するバースト誤りに対する保護が大きくなる。バースト誤りは、無線システムの場合には日常的であり、１以上のトーンで生じる予測不能のインパルス雑音の結果かもしれない。残念ながら、大きなブロックサイズはあらゆる種類のデータには適さない。例えばタイムクリティカル制御情報の場合には、それらが復号されうる前に、無線リンク上で通信するために比較的長い時間がかかりうる大きなブロックにおける制御情報を符号化することは現実的ではないかもしれない。それゆえ、小さなブロックサイズは、特に送信されるべきデータ単位が比較的少ないビットにおいて表されうるときに、タイムクリティカルデータ用にたびたび用いられる。例えば、いくつかの制御信号は、比較的小さなブロックにおいて頻繁に送信されるこれらの信号と一緒に、単一のまたは少数のビットを用いて送信されうる。例えば２または３ビットといった複数ビットを含む送信ブロックの場合には、反復符号化が用いられてもよく、例えば、データビットが繰り返されてもよい。しかし、わずかなビットを仮定すると、小さなブロックにおける情報は、信号干渉のせいでさらに著しく損失する傾向がある。
【０００５】
いくつかの制御信号は、中位または中間サイズブロックとして頻繁に符号化されるそのような信号を備えるいくつかのビットを用いて通常は表わされる。そのようなブロックは、通常は誤り訂正符号化ビットまたは誤り保護のいくつかの他の形式を含む。誤り訂正がサポートされる一方、より大きいサイズのブロックよりも、中位サイズ符号化ブロックはバースト性信号干渉のせいで、より誤る傾向にあるかもしれない。なぜなら、より大きいブロックサイズ上での誤り訂正符号化およびデータ再シーケンシングは、中位サイズの符号化ブロックにおいて可能かもしれない保護よりも短期間干渉バーストに対してよりよい保護を提供できるからである。
【０００６】
特にタイムクリティカルでない制御信号および／または情報は、ユニット、例えば大きな符号化ブロックとして符号化され送信される、より大きなデータブロックを形成するために一緒にグループ化されてもよい。大きな符号化ブロックは、タイムクリティカルでないデータおよび／または有用であるべき数多くのビットを要求するデータのために頻繁に用いられる。より大きな符号化ブロックは、例えば、誤り訂正符号化の目的のために単一のブロックとして扱われる何百またはさらに何千ものビットを含んでもよい。
【０００７】
上記の議論から、異なる種類の情報および／または基地局から無線端末に送信されたデータの異なるサイズブロックは、システム動作および通信されている情報の信頼性に影響を及ぼす前に、異なるレベルの干渉を許容できることを理解しうる。
【０００８】
帯域幅を効率的に用いるために、各セクタにおける多くの周波数スペクトルをできるだけ再利用することが一般的に望ましい。残念ながら、セクタ化されたセルの場合には、各セクタにおいて再利用される周波数の量が多いほど、信号干渉のリスクおよびデータの損失が多くなる。上述したように、異なる種類のデータおよび異なる符号化ブロックサイズは、利用不可能になる前に干渉の異なる量をしばしば許容することができる。それゆえ、隣接セクタにおいて同じトーンの利用を回避することが信号干渉を最小化する限り、セルにおいて送信されるべき全ての符号化ブロックに適用されれば、帯域幅の許容できない損失を招くかもしれない。同様に、各セクタにおいて同じトーンで情報を同時に送信することは、サイズが小さい、例えば１つのまたは少数のビットである符号化ブロックに関して特に許容できない誤り率をもたらすかもしれない。
【０００９】
上記の議論を考慮して、情報の異なる種類に関して許容できる干渉の異なるレベルを活用し、それにより帯域幅と送信信頼性との間のトレードオフの複数レベルを提供する方法および装置のための要求があることが明らかになる。
【発明の概要】
【００１０】
本発明は、通信方法および装置を対象とし、より詳細には、複数のトーン、複数のセクタ、複数のセル通信システムにおける符号化情報の異なるサイズブロックを通信する方法および装置を対象とする。システムは、例えば周波数分割多重（ＦＤＭ）システムでもよい。様々な実施形態は直交周波数分割多重（ＯＦＤＭ）システムとして実装される。ある実施形態では、システムは、システムの各セクタのトーンの同じセットを同時に用いてもよい。
【００１１】
本発明は、少なくとも３つの異なる符号化ブロックサイズ、例えば第１サイズブロック、第２サイズブロックおよび第３サイズブロックを用いる状況で説明されるだろうが、より多くのサイズが用いられてもよい。一実施形態では、情報の第１サイズブロックは情報の第２サイズブロックより小さく、情報の第２サイズブロックは情報の第３サイズブロックより小さい。
【００１２】
様々な実施形態では、第１サイズブロックは単一のまたは少数のビットの長さである。
【００１３】
１つのデータビットを備えるブロックの場合には、１以上の反復符号化ビットは、単一の情報ビットが繰り返される小さなブロックを生成するために符号化ブロックにおいて含まれうる。制限されたブロックサイズのせいで、単一のビットブロックにおける情報は、干渉のせいで特に損失する傾向がある。上記の実施形態では、第２サイズブロックは、例えば数十ビットを含んでもよい。第３サイズブロックは、何百または何千ものビットを含んでもよい。
【００１４】
ある実施形態では、情報の第１サイズブロックは、通信するために、ごく僅かなビット、例えば１０ビット未満および多くの場合３ビット以下を要し、比較的タイムクリティカルである無線端末パワー制御情報を送信するために用いられる。情報の第２サイズブロックは、他の種類の制御情報、例えばタイミング制御情報を通信するためにときどき用いられる。それはさらに、いくぶんタイムクリティカルかもしれないが、通信するために様々な一例となる実施形態において数ビットより多く、例えば３から２０ビットを要する。情報の第３サイズブロックは、ユーザデータ、例えばテキスト、音声および／または情報ファイルを伝達するために頻繁に用いられる。通常、そのような情報は、非常に小さなビット数において簡単には表わされず、および／または様々な制御信号よりもタイムクリティカルではない傾向がある。第３サイズのブロックは通常は２０ビットより多く、多くの場合では１００より多く、ときどき何千ビットもの長さを含む。
【００１５】
本発明に従って、送信されるべき符号化ブロックはサイズに従って分類される。
【００１６】
トーンの異なるセットは、異なるサイズのブロックを送信する目的のために割り当てられる。同じトーンは、同じサイズのブロックを送信するために、同じシンボル送信期間中にセルの各セクタにおいて割り当てられる。第１、第２および第３サイズのブロックが同じシンボル期間中に送信される場合、少なくともトーンの第１セットは第１サイズのブロックを送信するために割り当てられ、トーンの第２セットは第２サイズのブロックを送信するために割り当てられ、トーンの第３セットは第３サイズのブロックを送信するために割り当てられる。任意の１つのセクタでは、第１および第２の割り当てられたトーンの完全なセットは、常に用いられなくてもよい。特定サイズのブロックを送信するために割り当てられたトーンの各セットは、各セクタにおいてサポートされる通信チャネルに対応してもよい。複数のトーンセットは、特定サイズのブロックを送信するために用いられてもよい。上記の場合では、複数の通信チャネルは、その特定の単一のサイズのブロックを送信するのに費やされる。上記の場合では、本発明のトーン再利用方法は、チャネル基準ごと、例えば同じサイズのブロックを送信するのに費やされる他のトーンセットと同じやり方で各セクタにおいて再利用される、あるブロックサイズのための各トーンセットとともに適用されてもよい。
【００１７】
より小さなサイズブロックにおける情報は、より大きいサイズブロックよりも、信号干渉による誤りのせいで、送信損失の傾向がありがちであるということを考慮して、ステップは、小さなブロック、特に１ビット制御信号ブロックに影響する隣接セクタ間の送信干渉を最小化するために必要とされる。特に、隣接セクタにおける送信は、第１セクタにおけるトーンを用いて第１サイズのブロックが送信されるとき、第１セクタにおいて第１サイズブロックを送信するために用いられるトーンが、第１セクタに隣接する第２セクタにおいて未使用になるように制御される。
【００１８】
第２サイズのブロックに関しては、誤りのより高いレベルが受け入れられる傾向があり、第１の場合、例えば、小さなサイズブロックの場合よりも情報の損失なしに許容されてもよいことが理解される。しかし、第２サイズブロックは誤りの受け入れがたいレベルに直面するかもしれない。この場合、第２サイズブロックを送信するために第１セクタにおける用いられるトーンのフルセットが、第２セクタにおける符号化ブロックを送信するために同時に用いられる。従って、本発明は、第２サイズのブロックを送信するために用いられる周波数に関して所定の時間に部分的な周波数再利用を実装するために、隣接セクタにおける送信機を制御する。一実施形態において、トーンの第２セットは、第１および第２セクタのそれぞれにおいて特定の送信期間中に第２サイズのブロックを送信するために用いられる。トーンの第２セットからの１以上のトーンの第１サブセットは、第１および第２セクタのそれぞれにおいて情報を同時に送信するために用いられる。トーンの第２セットからのトーンの第２サブセットは、第１セクタにおいて情報を送信するために用いられるが、第２セクタにおいて未使用になる。加えて、いくつかの実施形態では、トーンの第２セットからのトーンの第３サブセットは、第２セクタにおいて情報を送信するために用いられるが、第１セクタにおいて未使用になる。それゆえ、第２サイズのブロックの場合には、セルの１つのセクタまたは各セクタにおいて通常は未使用になる第２サイズのブロックを送信するために用いられるいくつかのトーンとともに、隣接セクタにおけるトーン利用に関して部分的であるが完全ではないオーバーラップがある。
【００１９】
第３サイズの送信ブロックの場合には、トーンの第３セットが各セクタにおいて第３サイズのブロックを送信するために用いられる。第３セットにおけるトーンは、第３セットにおける各トーンでの第３サイズのブロックに対応する情報を、例えば同時に送信する各セクタとともに、各セクタにおいて完全に再利用される。それゆえ、完全な周波数再利用は、第３サイズの比較的大きなブロックを送信するために用いられるトーンに関するセクタにおいて実現される。
【００２０】
時間上で、トーンはホップされてもよい。しかし、異なるサイズのブロックを通信するために割り当てられるトーンセットは、各送信期間、例えばシンボル期間中に隣接セクタにおいて同じになるだろう。それゆえ、本発明の周波数再利用スキームは、周波数ホッピングの場合でさえ実装することが比較的容易なままである。
【００２１】
本発明に従って、異なる種類の通信チャネルは、情報の異なるサイズブロックを伝達するために構築されてもよい。
【００２２】
上述したように、異なるサイズのブロックは本発明に従って実装される異なる通信チャネルに割り当てられる。情報の第１サイズ（小さな）ブロックを伝達するために用いられる通信チャネルの第１種類は、隣接セクタにおけるトーンが第１チャネルに割り当てられるが未使用となるので、あるセクタにおいて信号を送信するために用いられるトーンは隣接セクタにおいて利用されるトーンとオーバーラップしないため、オーバーラップしないトーンでの通信チャネルと呼ばれてもよい。
【００２３】
情報の第２サイズ（中間の）ブロックを伝達するために用いられた通信チャネルの第２種類は、トーンの部分的なオーバーラップでのチャネルと呼ばれてもよい。これは、通信チャネルの第２種類に割り当てられたいくつかのトーンが、各隣接セクタにおいて未使用となる一方、通信チャネルの第２種類に割り当てられた利用されるトーンのうちのいくつかが、情報を送信するために各隣接セクタにおいて用いられるからである。それゆえ、隣接セクタにおいて第２サイズのブロックを送信するために用いられるトーンにおいて部分的なオーバーラップがある。
【００２４】
情報の第３サイズ（大きな）ブロックを伝達するために用いられる通信チャネルの第３種類は、第３チャネル上で情報を送信するために用いられるトーンが完全または完全に近いトーン再利用をもたらす隣接セクタにおいて用いられるため、完全なトーンオーバーラップでの通信チャネルと呼ばれてもよい。
【００２５】
通信チャネルの第１種類は、いくつかの実施形態において無線端末パワー制御コマンドダウンリンクチャネルとして用いられる。通信チャネルの第２種類は、いくつかの実施形態においてダウンリンクタイミング制御チャネルとして用いられる。一方、通信チャネルの第３種類は、他のユーザに関連したアプリケーションデータまたは情報および／または、テキスト、音声を通信するために用いられるダウンリンクトラフィック（ユーザデータ）チャネルとしてたびたび用いられる。
【００２６】
各セクタのための情報の第１、第２および第３サイズ送信ブロックは、第１、第２および第３種類の通信チャネルでそれぞれ同時に送信されてもよい。上述したように、ホッピングがセルのセクタ間で同期される場合、通信チャネルに割り当てられたトーンは時間上でホップしてもよい。
【００２７】
ある実施形態では、情報の種類、例えば無線端末パワー制御、他の制御情報およびユーザデータは、符号化ブロックサイズに従って分類されてもよく、チャネルの特定の種類、例えばオーバーラップしないトーンチャネル、部分的にオーバーラップするチャネルおよび完全にオーバーラップするチャネルと関連してもよい。そのような分類情報は、基地局および／または無線端末に格納され、その結果、分類が継続的な基準で実行される必要がなく、基地局および無線端末は、本発明の方法を実装して、適切になるようにチャネルにデータを割り当てるためにその情報を用いることができる。
【００２８】
他の実施形態では、情報の種類およびチャネルの種類の分類は、柔軟であってもよく、動作中、例えば、システム全体のローディング、ユーザ優先度、データレートを要求されたユーザ、許容されるユーザービット誤り率、および送信されるデータおよび情報の本質のような、変更条件に適応するために動的に変更されてもよい。
【００２９】
本発明は、一例となるダウンリンクデータ、情報、通信チャネルおよび送信の状況でこの出願で説明されているが、本発明はまた、いくつかの無線通信システムにおけるアップリンクに関する一部分またはその全体において用いられてもよい。本発明の装置および方法は、ハードウェア、ソフトウェアまたはハードウェアとソフトウェアとの組み合わせを用いて実装されてもよい。
【００３０】
本発明の方法および装置の多数の追加的な機能、利点および詳細は、続く詳細な説明に記述される。
【図面の簡単な説明】
【００３１】
【図１】本発明に従って実装される例示となるセクタ化された通信システムを示す図。
【図２】本発明に従って実装された、図１のシステムにおける利用に適した一例となる基地局を示す図。
【図３】本発明に従って実装された、図１のシステムにおける利用に適した一例となる無線端末を示す図。
【図４】本発明を説明するために用いられる様々なサイズのデータブロック、誤り訂正処理および様々なサイズの送信ブロックを示す図。
【図５】本発明に従う２つの隣接セクタにおける異なる種類のチャネルへのトーン割り当ての例を示す図。
【図６】本発明に従って図５に示されるチャネルに割り当てられるトーンが時間上でホップしてもよいことを示す図。
【図７】設定が開始されるネットワークエンティティーにおけるＱｏＳ情報を用いるための方法例の図。
【発明を実施するための形態】
【００３２】
図１は、示されるセル１ １０２のような複数のセルを含む本発明に従って実装された一例となる通信システム１００を示す。一例となるシステム１００の各セル１０２は、３つのセクタを含む。２つのセクタ（Ｎ＝２）を備えるセルおよび３つより多いセクタ（Ｎ＞３）を備えるセルもまた、本発明に従って可能である。セル１０２は、第１のセクタであるセクタ１ １１０、第２のセクタであるセクタ２ １１２および第３のセクタであるセクタ３ １１４を含む。各セクタ１１０、１１２、１１４は、２つのセクタ境界領域を有する。各セクタ境界領域は、２つの隣接セクタ間で共有される。破線１１６は、セクタ１ １１０とセクタ２ １１２との間のセクタ境界領域を表す。破線１１８は、セクタ２ １１２とセクタ３ １１４との間のセクタ境界領域を表す。破線１２０は、セクタ３ １１４とセクタ１ １１０との間のセクタ境界領域を表す。
【００３３】
セル１ １０２は、各セクタ１１０、１１２、１１４において、基地局（ＢＳ）である、基地局１ １０６および複数の無線端末である、例えばエンドノード（ＥＮ）を含む。セクタ１ １１０は、無線リンク１４０、１４２を経由してＢＳ １０６に接続されるＥＮ（１）１３６およびＥＮ（Ｘ）１３８をそれぞれ含む。セクタ２ １１２は、無線リンク１４８、１５０を経由してＢＳ １０６に接続されるＥＮ（１’）１４４およびＥＮ（Ｘ’）１４６をそれぞれ含む。セクタ３ １１４は、無線リンク１５６、１５８を経由してＢＳ １０６に接続されるＥＮ（１”）１５２およびＥＮ（Ｘ’’）１５４をそれぞれ含む。  
システム１００はまた、ネットワークリンク１６２を経由してＢＳ１ １０６に接続されるネットワークノード１６０も含む。ネットワークノード１６０はまた、例えば、他の基地局、ＡＡＡサーバノード、中間ノード、ルータなど他のネットワークノードおよびインターネットへネットワークリンク１６６を経由して接続される。ネットワークリンク１６２、１６６は、例えば光ファイバーケーブルでもよい。各エンドノード、例えばＥＮ（１）１３６は、受信機と同様に送信機を含む無線端末でもよい。無線端末、例えばＥＮ（１）１３６は、システム１００の至る所に移動してもよく、ＥＮが現在位置するセルにおいて無線リンクを経由して基地局と通信してもよい。無線端末（ＷＴ）、例えばＥＮ（１）１３６は、基地局、例えばＢＳ １０６および／またはネットワークノード１６０を経由してピアノード、例えばシステム１００内またはシステム１００外での他のＷＴと通信してもよい。ＷＴ、例えばＥＮ（１）１３６は、携帯電話機、無線モデムを備えたパーソナルデジタルアシスタントのようなモバイル通信デバイスでもよい。
【００３４】
図２は、本発明に従って実装された一例となる基地局２００を示す。一例となる基地局２００は、本発明のダウンリンクリソース割り当て方法を実装する。基地局２００は、図１のシステム１００の基地局１０６のうちの任意の１つとして用いられてもよい。基地局２００は、復号器２１２を含む受信機２０２、符号器２１４を含む送信機２０４、例えばＣＰＵであるプロセッサ２０６、入力／出力インターフェイス２０８、および、様々なエレメント２０２、２０４、２０６、２０８および２１０がデータおよび情報を交換できるバス２０９によって連結されるメモリ２１０を含む。
【００３５】
受信機２０２に接続されたセクタ化されたアンテナ２０３は、基地局２００が位置するセル内の各セクタからの無線端末の送信から、データおよび他の信号、チャネルレポートを受信するために用いられる。送信機２０４に接続されたセクタ化されたアンテナ２０５は、基地局のセル１０２の各セクタ１１０、１１２、１１４内の無線端末３００（図３を参照）に、データおよび他の信号、例えば無線端末パワー制御コマンド信号、タイミング制御信号、リソース割り当て情報、パイロット信号などを送信するために用いられる。本発明の様々な実施形態では、基地局２００は、複数の受信機２０２および複数の送信機２０４、例えば各セクタ１１０、１１２、１１４のための個別の受信機２０２および各セクタ１１０、１１２、１１４のための個別の送信機２０４を採用してもよい。プロセッサ２０６は、例えば汎用中央処理装置（ＣＰＵ）でもよい。メモリ２１０は、ルーチン２１８およびデータ／情報２２０を含む。プロセッサ２０６は、メモリ２１０に記憶される１以上のルーチン２１８の指示の下で、本発明の方法を実装するデータ／情報２２０を用いて基地局２００の動作を制御する。Ｉ／Ｏインターフェイス２０８は、ＢＳ２００とアクセスルータ、ＡＡＡサーバノードなどとを接続する他のネットワークノード、他のネットワークおよびインターネットとのコネクションを提供する。
【００３６】
データ／情報２２０は、データ２３４、ダウンリンクチャネル情報２３６、トーン情報２３７、および複数のＷＴ情報、ＷＴ １情報２４０およびＷＴ Ｎ情報２５４を含む無線端末（ＷＴ）データ／情報２３８を含む。ＷＴ情報の各セット、例えばＷＴ １情報２４０は、データ２４２、小さなサイズデータブロックのための制御情報２４４、中間サイズデータブロックのための制御情報２４６、端末識別子（ＩＤ）２４８、セクタ識別子（ＩＤ）２５０、および割り当てられたダウンリンクチャネル情報２５２を含む。
【００３７】
ルーチン２１８は、通信ルーチン２２２および基地局制御ルーチン２２４を含む。基地局制御ルーチン２２４は、スケジューラモジュール２２６、およびダウンリンクトーン割り当てホッピングルーチン２３２および誤り訂正モジュール２３３を含むシグナリングルーチン２３０を含む。
【００３８】
データ２３４は、符号器２１４によって処理され、かつダウンリンクチャネル上で送信機２０４によって複数のＷＴ３００へ送信されるべきデータ／情報、および、受信に従う受信機２０２の復号器２１２を通じて処理されているＷＴ３００からの受信データ／情報を含んでもよい。ダウンリンクチャネル情報２３６は、機能的利用に関するダウンリンクチャネル、例えばダウンリンクトラフィックチャネル、ダウンリンクＷＴパワー制御チャネル、および他のダウンリンク制御チャネル、例えばダウンリンクタイミング制御チャネルを識別する情報を含んでもよい。ダウンリンクチャネル情報２３６はまた、隣接セクタ間のトーンオーバーラップに関する異なる種類のダウンリンクチャネル、例えば完全オーバーラップチャネル、オーバーラップしないチャネルおよび部分的なオーバーラップチャネルを識別する情報を含んでもよい。加えて、ダウンリンクチャネル情報２３６は、機能的利用チャネルの異なる種類とトーンオーバーラップの異なる種類とが関連する情報を含んでもよい。例えば、タイムクリティカルでないデータの大きなサイズの符号化送信ブロックを運ぶダウンリンクトラフィックチャネルは、トーンの完全なオーバーラップを有してもよい。  
単一のまたは少数のビットを用いる小さなサイズ送信ブロックを運び、かつタイムクリティカルデータを運ぶＷＴパワー制御ダウンリンクチャネルは、隣接セクタ間でトーンオーバーラッップを有さなくともよい。他の制御チャネル、例えば、ある誤り保護を備えるがより大きなサイズのブロックよりももっとバースト性干渉になる傾向がある中位サイズ符号化ブロックを運ぶタイミング制御ダウンリンクチャネルは、隣接セクタ間のトーンの部分的なオーバーラップを有してもよい。トーン情報２３７は、基地局２００に割り当てられるキャリア周波数、論理トーンのためのインデックス、ダウンリンクホッピングシーケンスにおけるトーンの数、ダウンリンクホッピングシーケンスにおける利用のための異なる周波数サブキャリアに対応する物理的なトーンの周波数およびインデックス、スーパースロットの継続期間、例えば、ダウンリンクトーンホッピングシーケンスのための繰り返し間隔、および特定セルを識別するために用いられるスロープのようなセル特定値を示す情報を含んでもよい。  
ＷＴ１データ２４２は、基地局２００がＷＴ１ ３００を意図するピアノードから受信されたデータ、誤り訂正処理の後、ＢＳ２００がダウンリンクトラフィックチャネル上でＷＴ１ ３００に送るべきデータ、例えば大きい符号化ブロックサイズ、例えば本発明に従う何百または何千のビットに対応するとして分類されたデータ、および、ＷＴ１ ３００がペアノードに送信したいデータを含んでもよい。小さなブロックサイズ制御情報２４４は、例えばＢＳ２００がＷＴパワー制御ダウンリンクチャネル上で伝達するＷＴ１ ３００パワー制御コマンド情報のような、小さいサイズのデータブロック、例えば１ビットまたは少数のビットを含んでもよい。小さなブロックサイズ制御情報２４４は通常、タイムクリティカルであり、かつ／または、送信されるべきデータユニットが１または少数のビットによって表わされうる、制御情報またはデータである。送信されるべき小さいブロック制御情報２４４は、例えば情報が単一ビット送信ブロックサイズに形成される場合、誤り訂正目的のためにビットが残っていない場合は、送信より前にＥＣＣ処理を有さなくてもよい。他の場合では、小さなブロックサイズ制御情報２４４は、送信の前に、小さなサイズの誤り訂正符号化、例えば反復符号化、付加的なＥＣＣビットを発生することを用いて処理されてもよい。
【００３９】
中間ブロックサイズ制御情報２４６は、制御情報、例えばタイミング制御情報を含む。中間サイズ符号化ブロックは、少数ビットより多い、例えば何十または何百ビットを含む。中間サイズブロックにおける情報は、多少タイムクリティカルであってもよい。情報の中間サイズブロックは、符号化された中間サイズ送信ブロックに形成される間、あるＥＣＣ処理に典型的に従い、通常は少なくともいくつかのＥＣＣビットを含む。端末ＩＤ２４８は、基地局２００によって割り当てられ、基地局に対してＷＴ１ ３００を識別するＩＤである。セクタＩＤ２５０は、ＷＴ１ ３００が動作しているセクタ１１０、１１２、１１４を識別する情報を含む。割り当てられたダウンリンクチャネル情報２５２は、ＷＴ１ ３００にデータおよび情報を運ぶためにスケジューラ２２６によって割り当てられているチャネルセグメント、例えば、データ用の完全なトーンオーバーラップを備えたダウンリンクトラフィックチャネルセグメント、隣接セクタ間でトーンオーバーラップがないＷＴパワー制御コマンドチャネルセグメント、他の制御チャネルセグメント、例えば隣接セクタ間で部分的なトーンオーバーラップを備えるタイミング制御チャネルセグメントを識別する情報を含む。ＷＴ１ ３００に割り当てられた各ダウンリンクチャネルは、それぞれ１以上の論理トーンを含んでもよく、それぞれはダウンリンクホッピングシーケンスに続く。
【００４０】
通信ルーチン２２２は、様々な通信動作を実行しおよび様々な通信プロトコルを実装するために基地局２００を制御する。
【００４１】
基地局制御ルーチン２２４は、基本的な基地局機能タスク、例えば、ＷＴ３００へのチャネルセグメントのスケジューリング、トーンホッピングおよび誤り訂正符号化処理を含む受信および信号生成を実行するために基地局２００を制御するために用いられ、および本発明に従ってセクタ化された環境において基地局からＷＴ３００へ情報の異なるサイズブロックを通信する本発明の方法のステップを実装するために用いられる。
【００４２】
スケジューラモジュール２２６は、そのセル１０２の各セクタ１１０、１１２、１１４内のＷＴ３００にダウンリンクおよびアップリンクチャネルセグメントを割り当てる。各チャネルセグメントは、決定された継続時間のために１以上の論理トーンを含む。例えばデータの大きな送信ブロックを運ぶダウンリンクトラフィックチャネルセグメント、小さな送信ブロックを運ぶＷＴパワー制御チャネルセグメント、および他の制御チャネルセグメント、例えば中間サイズ送信ブロックを運ぶタイミング制御チャネルセグメントのようなダウンリンクチャネルセグメントは、スケジューラ２２６によってＷＴ３００に割り当てられる。
【００４３】
シグナリングルーチン２３０は、符号器２１４を含む送信機２０４および復号器２１２を含む受信機２０２の動作を制御する。シグナリングルーチン２３０は、データ、制御情報およびＥＣＣビットを含む様々なサイズ送信ブロックの検出および発生を制御することに関与する。ダウンリンクトーンホッピングルーチン２３２は、例えば、トーン情報２３７、およびダウンリンクチャネル情報２３６を含む情報を用いるダウンリンクトーンホッピングシーケンスを決定する。ダウンリンクトーンホッピングシーケンスは、任意の時間において、セル１０２の各セクタにおいて、利用可能なトーンの総数、例えば、周波数スペクトラムを包含する全部のトーンセットは、オーバーラップしないトーンセットに分割され、各セクタにおける各チャネルはオーバーラップしないトーンセットの１つを用いるために割り当てられるようなセル１０２のセクタ１１０、１１２、１１４にわたって同期される。セル１０２の様々なセクタにおいて対応するチャネルは、様々なセクタにおいて同期されたやり方において送信されている信号を備える一実施形態においていつでも同じトーンセットを用いる。誤り訂正モジュール２３３は、ＷＴ３００から送信されたデータおよび情報での符号化を除去するために受信機２０２およびその復号器２１２の動作を制御する。誤り訂正モジュール２３３はまた、ＢＳ２００からＷＴ３００に送信されるべきデータおよび情報を符号化するために送信機２０４およびその符号器２１４の動作を制御する。本発明に従って、ＥＣＣモジュール２３３は、ＥＣＣビットを含む送信ブロックを生み出す情報のブロックにＥＣＣ処理を適用してもよい。
【００４４】
図３は、図１において示されるシステム１００の無線端末（エンドノード）のうちの任意の１つ、例えばＥＮ（１）１３６のように用いられうる一例となる無線端末（エンドノード）３００を示す。無線端末３００は、本発明のダウンリンクリソース割り当て方法に従って実装される。無線端末３００は、復号器３１２を含む受信機３０２、符号器３１４を含む送信機３０４、プロセッサ３０６、様々なエレメント３０２、３０４、３０６、３０８がデータおよび情報を交換できるバス３１０によって連結されるメモリ３０８を含む。基地局２００から信号を受信するために用いられるアンテナ３０３は、受信機３０２に接続される。信号を、例えば基地局２００に送信するために用いられるアンテナ３０５は、送信機３０４に接続される。
【００４５】
プロセッサ３０６は、ルーチン３２０を実行し、およびメモリ３０８におけるデータ／情報３２２を用いることによって無線端末３００の動作を制御する。
【００４６】
データ／情報３２２は、ユーザデータ３３４、小さいブロック制御情報３３６、中間ブロック制御情報３３８、ユーザ情報３４０、ダウンリンクチャネル情報３５０およびトーン情報３５２を含む。ユーザデータ３３４はテキスト、音声および／または情報ファイルを含んでもよい。ユーザデータ３３４は、ＢＳ２００によって送信されている大きなサイズ送信ブロックから復号器２１２によって処理されるデータの大きなサイズデータブロック、例えば何百または何千ビットを含んでもよい。そのような情報は、有用であるべき多くのビットを要求する種類であり、かつ／または制御信号よりタイムクリティカルとなる傾向が少ないかもしれない。典型的には、ダウンリンクユーザデータは、信号が隣接セクタにおいて送信されるトーン間で完全なオーバーラップを有するダウンリンク通信チャネル上でＢＳ２００からＷＴ３００へ伝達される。ユーザデータ３３４はまた、符号器３１４による処理に続いて、アップリンクトラフィックチャネルを経て基地局２００に送信されるべきピアノード、例えば別のＷＴを対象としたデータを含んでいてもよい。小さいブロック制御情報３３６は、ダウンリンク制御チャネルを経てＢＳ２００から送信されているＷＴパワー制御コマンド情報のようなデータを含んでもよい。小さいサイズブロック制御情報３３６は、典型的にタイムクリティカルであり、通信するためにビットをほとんど要さない。符号化ブロックサイズが１ビットである情報３３６の小さいサイズブロックの場合には、ビットがＥＣＣ目的のために残されておらず、情報は小さいブロック情報３３６を作るＥＣＣ符号化の利益なしで伝達される。そのような場合においては、干渉のせいで特に損失する傾向がある。他の場合では、小さいブロック制御情報３３６は、小さなサイズの誤り訂正符号化、例えば、反復符号化によって少数のＥＣＣビットを含む小さいブロックサイズ符号化ブロックに処理されてもよい。小さな符号化ブロックが少数のＥＣＣビットを含む場合は、データシーケンスがとても小さな数のビットに限定されるかまたは全く用いられず、小さなブロックがインパルスまたは他の短期間の雑音バーストの影響を受けやすくなるので、インパルスまたは他の雑音のために損失をさらに被りやすい傾向にある。情報の小さなブロック３３６は、時間内の特定点でのチャネル上で小さなブロックを送信するために用いられるトーンに関して、隣接セクタ間でトーンオーバーラップを有さないダウンリンク制御チャネル上でＢＳ２００からＷＴ３００へ伝達される。それゆえ、セクタ間干渉は、小さな符号化サイズを有するブロックの送信の場合は一般的に回避される。中間ブロックサイズ制御情報３３８は、いくらか時間的制約があるが、小さなブロック情報３３６よりタイムクリティカルではない制御情報を含んでもよく、中間サイズ、例えば何十または何百ビットの符号化ブロックによって表わされてもよい。中間ブロックサイズ制御情報３３８は、例えばタイミング制御情報でもよい。そのような情報は、送信期間オーバーラップ中に、中間サイズブロックを送信するために隣接セクタにおいて用いられるトーンの全てではないいくつかのダウンリンク制御チャネルを用いてＢＳ２００からＷＴ３００に伝達されてもよい。送信情報３３８に用いられる中間サイズ送信ブロックは、いくつかのＥＣＣビットを典型的に含んでもよい。ユーザ情報３４０は、割り当てられたダウンリンクチャネル情報３４２、端末ＩＤ情報３４４、基地局ＩＤ情報３４６およびセクタＩＤ情報３４８を含む。割り当てられたダウンリンクチャネル情報３４２は、ＷＴ３００にデータおよび情報を運ぶためにスケジューラ２２６によって割り当てられているチャネルセグメント、例えばデータ用に隣接セクタ間で完全な送信トーンオーバーラップを備えるダウンリンクトラフィックチャネルセグメント、隣接セクタ間で送信トーンオーバーラップなしのＷＴパワー制御コマンドチャネルセグメント、他の制御チャネルセグメント、例えば隣接セクタ間で部分的な送信トーンオーバーラップを備えるタイミング制御チャネルセグメントを識別する情報を含む。ＷＴ３００に割り当てられた各ダウンリンクチャネルは、それぞれ１以上の論理トーンを含んでもよく、それぞれはセルの各セクタ間で同期されるダウンリンクホッピングシーケンスに続く。
【００４７】
ユーザ情報３４０はさらに、例えば基地局２００が割り当てた識別情報である可能性がある端末ＩＤ情報３４４、通信を確立したＷＴ３００がダウンリンクホッピングシーケンスを生成する際に用いられるセルスロープ値を提供してもよい特定の基地局２００を識別する基地局ＩＤ情報３４６と、ＷＴ３００が現在位置するセルの特定のセクタを識別するセクタＩＤ情報３４８を含む。
【００４８】
ダウンリンクチャネル情報３５０は、明確なまたは機能的な利用におけるダウンリンクチャネル、例えばダウンリンクトラフィックチャネル、ダウンリンクＷＴパワー制御チャネル、および他のダウンリンク制御チャネル、例えばダウンリンクタイミング制御チャネルを識別する情報を含んでもよい。ダウンリンクチャネル情報３５０はまた、隣接セクタ間で送信トーンオーバーラップに関するダウンリンクチャネルの異なる種類、例えば完全な送信トーンオーバーラップチャネル、送信トーンオーバーラップがないチャネル、および部分的な送信トーンオーバーラップチャネルを識別する情報を含んでもよい。加えて、ダウンリンクチャネル情報３５０は、機能的な使用チャネルの異なる種類と送信トーンオーバーラップの異なる種類とが関連する情報を含んでもよい。例えば、大きなサイズの送信ブロックを運ぶダウンリンクトラフィックチャネルは、送信トーンと呼ばれるトーンを実際に送信するために用いられるトーンに関して完全なオーバーラップを有してもよい。小さいサイズ送信ブロックを備えるＷＴパワー制御ダウンリンクチャネルは、隣接セクタ間で送信トーンオーバーラップがなくてもよく、他の制御チャネル、例えばタイミング制御ダウンリンクチャネルは、隣接セクタ間の部分的な送信トーンオーバーラップを有してもよい。
【００４９】
トーン情報３５２は、基地局２００のそれぞれに割り当てられたキャリア周波数、論理トーンのためのインデックス、ダウンリンクホッピングシーケンスにおけるトーンの数、ダウンリンクホッピングシーケンスにおける物理的なトーンのインデックスおよび周波数、スーパースロットの継続期間、例えばダウンリンクトーンホッピングシーケンスのための繰り返し間隔、および各基地局２００のためのスロープのようなセル特定値を含んでもよい。
【００５０】
ルーチン３２０は、通信ルーチン３２４および無線端末制御ルーチン３２６を含む。通信ルーチン３２４は、ＷＴ３００によって用いられる様々な通信プロトコルを制御する。無線端末制御ルーチン３２６は、受信機３０２および送信機３０４の制御、パワー制御、タイミング制御および同期、およびユーザ入力／出力オプションおよび要求を含む基本的な無線端末３００の機能を制御する。無線端末制御ルーチン３２６はまた、信号生成、受信および処理を制御するシグナリングルーチン３２８を含む。シグナリングルーチン３２８は、ダウンリンクチャネルホッピングルーチン３３０および誤り訂正モジュール３３２を含む。ダウンリンクチャネルホッピングルーチン３３０は、ダウンリンクチャネル情報３５０を含むユーザデータ／情報３２２、基地局ＩＤ情報３４６（例えばスロープ）、ダウンリンクトーンホッピングシーケンスを生成して基地局２００から送信された受信データを処理するためのトーン情報３５２を用いる。誤り訂正モジュール３３２の指示のもとで、受信機３０２の復号器３１２は、ＥＣＣを実行し、ＢＳ２００によって送信された情報およびデータを得るために送信ブロックを処理する。ＥＣＣモジュール３３２はまた、基地局２００への送信の前にデータおよび情報を符号化するための送信機３０４の符号器３１４を制御する。
【００５１】
図４は、本発明に従う情報の異なるサイズブロック、誤り訂正処理、および様々なサイズの送信ブロックの一例を示す。符号化が誤り訂正符号化として記述されるが、誤り検出ビットは、誤り訂正ビットに加えてまたはその代わりに、符号化されてもよい（様々な実施形態では符号化される）ことを理解すべきである。多くの場合では、誤り訂正ビットもまた誤り検出ビットとして用いることができる。それゆえ、誤り検出および／または誤り訂正ビットは生成され、図４に示される誤り訂正処理の一部として送信されるべき符号化ブロックに含まれていてもよいし、生成されてもよいことを理解すべきである。図４の描画４００は、基地局２００が無線のセクタ化された通信セル、例えば図１のセル１０２のセクタ１ １１２における無線端末３００へ伝達することを望んでもよい情報の３つの異なるサイズブロックを示す。本発明の他の実施形態は、増大する符号化ブロックサイズとともに大きくなる送信トーンオーバーラップの量を備える異なるサイズブロックのために用いられる異なる量の送信トーンオーバーラップを備える３以上の異なるサイズブロックの情報に関する分類を有してもよい。図４は、サイズ０（小さい）のデータブロックであり、例えば無線端末（ＷＴ）パワー制御コマンド情報を含んでもよい一例となる情報の第１サイズブロック４０２を含む。情報の第１サイズ（小さい）ブロック４０２は、この例においてタイムクリティカルであり、それゆえより大きなブロックの中に他の制御情報とグループ化されない。ある実施形態では、情報の第１サイズ（小さな）ブロック４０２は、長さが１０ビット未満であり、制御情報を通信するために用いられる。第１サイズブロックの場合における符号化ブロック４０４は、暗号化されないブロックと同じでもよいし、または小さなサイズの誤り訂正符号化（ＥＣＣ）ビット４０７を含んでいてもよい。
【００５２】
一実施形態において、単一のビットデータブロック４０２については、１以上の反復ビットが生成され、符号化ブロック４０４に含まれている。上記の場合では、符号化ブロック４０４は、制御情報ビット４０５に加えて少なくとも１つのＥＣＣビット４０７を含むだろう。図４の例において、ＥＣＣビット４０７は、小さなサイズの誤り訂正符号に起因する比較的少数のＥＣＣまたは誤り検出ビットを作り出す方法を用いてステップ４０３において生成される。適切な方法の例は、反復符号化およびパリティ符号化を含む。図４はまた、一例となる暗号化されないデータブロックサイズ１（２０ビット）を有する一例となる情報の第２サイズブロック４０６を含み、例えばタイミング制御情報のような制御情報を含んでもよい。誤り訂正符号化および／またはインタリービング（再シーケンシング）は、バースト誤りに対して保護するのを助ける第２ブロックで実行されてもよい。第２サイズの結果として生じる符号化ブロック４１０は、同じビット数かまたは符号化されていないブロック４０６より多いビットを含む。図４の例において、誤り訂正符号化（ＥＣＣ）ビット４１４は、ブロック４０６においてビットからステップ４０８において生成され、その後、送信されるべき符号化された情報の第２サイズブロックを生成するために情報ビット４１２を加える。ある実施形態では、ＥＣＣビット４１４および／または情報ビット４１２の異なるものは、利用されたトーンのうちの１つの周波数で直面する可能性のある雑音のせいで、誤りの可能性に対してさらに保護するために異なるトーンを用いて送信される。
【００５３】
図４はまた、サイズ２のデータブロック（２００ビット）である情報の一例となる第３サイズブロック４１６を含み、例えばユーザデータを含んでもよい。情報の第３サイズ（大きな）ブロック４１６は、特にタイムクリティカルでなく、ユニットとして、例えば大きな符号化ブロックとして符号化され、送信されてもよいデータのより大きなブロックを形成するために、一緒にグループ化することをそれらに許可する情報および／または制御信号を含んでもよい。第３サイズの符号化されていないデータブロック４１６は、送信されるべき大きな符号化ブロック４２０を作り出すためにステップ４１８において誤り訂正符号化および／またインタリーブに従う。ＥＣＣ処理４１８の一部として、誤り訂正ビット４２４が生成されおよびデータビット４２２に加えられ、それによって大きな符号化ブロック４２０を形成する。送信ブロック４０４、４１０および４２０の終端に位置するＥＣＣビット４０７、４１４および４２４が示されるが、データビットでインタリーブされてもよい。
【００５４】
一般的に、信号符号化のいくつかの形式が用いられる場合、符号化に用いられるブロックサイズが大きいほど、例えば符号化ブロックにおける１以上の異なる位置で１または少数の連続ビットが損失する、バースト誤りに対する保護が大きくなる。バースト誤りは無線システムの場合には一般的であり、１以上のトーンに発生する予測不能のインパルス雑音の結果かもしれない。中間および大きい送信ブロック（４１０、４２０）の両方で通常サポートされる誤り訂正は、小さな送信ブロック４０４において同様にサポートされてもよい。小さなサイズのブロック誤り符号、例えば反復符号は、中間サイズの（符号化）送信ブロック４１０のために一般的に用いられる符号化技術よりも、バースト性信号干渉の影響を弱める点で効果が少ないので、小さなサイズの（符号化）送信ブロック４０４は、バースト性信号干渉および／または他の種類の干渉のせいで中間サイズの（符号化）送信ブロック４１０よりも誤りやすい傾向にあるかもしれない。中間サイズの（符号化）送信ブロック４１０は、より大きなサイズのブロック４２０よりも、バースト性信号干渉および／または他の干渉のせいで誤りやすい傾向にあるかもしれない。ここで、より大きなブロックサイズ４２０上でのデータ再シーケンシングおよび誤り訂正符号化が、中位サイズの符号化ブロック４１０において可能かもしれないものよりも干渉に対してよりよい保護を提供できる。大きな符号化ブロック４２０では、比較的より大きなビット数は、より小さいブロック、例えばデータビットのブロック数と比較して比例的少ないＥＣＣビットである、中間サイズの符号化ブロック４１０の場合よりも保護の高い段階を提供するＥＣＣ目的に用いられるために割り当てられてもよい。
【００５５】
第１、第２および第３サイズの異なる符号化ブロック４０４、４１０、４２０は、セクタ化されたアンテナ２０５を通じてＷＴ３００へ送信機２０４によって送信され、各ブロックは本発明に従って割り当てられたトーンを用いて通信チャネル上で送信される。
【００５６】
本発明のある実施形態では、第１サイズ情報ブロック、例えばデータブロックサイズ０（小さい）４０２は、第２サイズ情報ブロック、例えばデータブロックサイズ１（中間）４０６より小さく、データブロックサイズ１（中間）４０６は、第３サイズ情報ブロック、例えばデータブロックサイズ２（大きい）４１６よりも小さい。第１、第２、および第３サイズ情報ブロックおよび送信ブロックは、セル１１２の各セクタ１１２、１１４、１１６について存在してもよく、送信ブロックは、本発明に従って各セクタにおいて同時にまたは異なる時間に送信されてもよい。
【００５７】
ある実施形態では、異なるサイズ情報および送信ブロック内の情報およびデータの分類化は、例えば、ユーザデータ、パワー制御情報などのような情報の種類によって予め決定されてもよいし、区分は、本発明を実装することにおける使用のため、ＢＳ２００とＷＴ３００との両方に記憶されてもよい。
【００５８】
描画５００による図５は、本発明を示すための２つの隣接セクタ、一例となるＯＦＤＭ無線システム、例えば２つのセクタシステムのセクタＡおよびＢにおける様々なダウンリンクチャネルへの一例となるトーン割り当てを示す。基地局２００からＷＴ３００へのダウンリンク通信のために利用可能なエアリンクリソースは、トーン０から９までを含むトーンセットの合計に対応する周波数スペクトル５０２によって表わされてもよい。各セクタＡおよびＢでは、同じ周波数スペクトル５０２は、ＯＦＤＭトーン、例えば１０個の一例となるＯＦＤＭトーン、トーン０ ５６４、トーン１ ５６６、トーン２ ５６８、トーン３ ５７０、トーン４ ５７２、トーン５ ５７４、トーン６ ５７６、トーン７ ５７８、トーン８ ５８０およびトーン９ ５８２へ細分されてもよい。セクタＡでは、１０個のＯＦＤＭトーンはさらに、トーン０Ａ ５０４、トーン１Ａ ５０６、トーン２Ａ ５０８、トーン３Ａ ５１０、トーン４Ａ ５１２、トーン５Ａ ５１４、トーン６Ａ ５１６、トーン７Ａ ５１８、トーン８Ａ ５２０およびトーン９Ａ ５２２として表される。セクタＢでは、１０のＯＦＤＭトーンはさらに、トーン０Ｂ ５３４、トーン１Ｂ ５３６、トーン２Ｂ ５３８、トーン３Ｂ ５４０、トーン４Ｂ ５４２、トーン５Ｂ ５４４、トーン６Ｂ ５４６、トーン７Ｂ ５４８、トーン８Ｂ ５５０およびトーン９Ｂ ５５２として表される。参照番号５００によって一般的に示された本発明の一例となるトーン割り当ておよび利用方法は、図５を参照してここで説明されるだろう。図５において示されるように、周波数スペクトル５０２の合計は、１０個のトーン、示されたシンボル送信期間について列５０９において示されるようなトーン０からトーン９までに分割される。本発明に従って、トーンは少なくとも３種類のチャネル、情報の大きな符号化ブロックを送信するために用いられる第１チャネル（例えばトラフィックチャネル）、小さな符号化ブロックを送信するために用いられる第２チャネル（例えば第１制御チャネル）、および中間サイズの符号化ブロックを送信するために用いられる第３チャネル（例えば第２制御チャネル）をサポートするために分割される。図５では、列５０１および列５０５の陰影は、符号化ブロックに対応する信号の送信に用いられるために割り当てられるトーンを示すために用いられる。列５０１および列５０５において陰影がないトーンは、未使用になるように制御される。
【００５９】
本発明を説明するために、同じトーンのセットは、同じチャネルに対応するようにセルの各セクタにおいて指定されると仮定される。しかし、小さいおよび中間サイズ符号化ブロックの場合に、重要なことは、セクタ間干渉を回避するまたは低減するために、１以上の隣接セクタにおいて特定の送信期間中未使用になるように制御されるトーンへのセクタにおけるデータの送信のために割り当てられるトーンに関する関係である。理解されうるように、特定チャネルへの未使用トーンの割り当ては、トーンは情報を運ぶために用いられないだろうし、従って任意の他の未使用トーンと同様であるので重要ではない。オーバーラップしない事例において重要なことは、送信トーンとして用いられるために割り当てられる第１セクタにおけるトーンが、隣接セクタにおいて未使用になるということである。
【００６０】
しかし概念的には、未使用トーンを特定チャネルに対応するとして考えることは有用かもしれない。加えて、図５では、あるチャネルのトーンは、簡単のために連続的であることが示される。しかし、実際には、トーンは不連続である可能性がある。
【００６１】
図５および６は、第１および第２のシンボル送信時間中に、２つの隣接セクタＡおよびＢのための様々なトーン割り当てをそれぞれ示す。図６の送信シンボル時間は、いくつかの実装において図５のシンボル時間の直後に発生する。２つの異なるシンボル時間は、特定チャネルに割り当てられたトーンが時間に応じて変化、例えばホップしてもよいことを図示するために示される。
【００６２】
図５の説明図では、列５０５および５０７がセクタＢトーン割り当てに対応する一方、列５０１および５０３はセクタＡトーン割り当てに対応する。陰影は、情報を送信する際の使用のために割り当てられるトーンを図示するために、列５０１、５０５において用いられる。これらの送信トーンは、システムローディングに依存する送信データに実際に用いられてもよいし、用いられなくてもよい。全て利用されるシステム情報では、これらのトーンで送信されるだろう。従って、本発明を説明するために、データが列５０１および５０５の影のあるトーンで送信されると仮定される。列５０１、５０５において陰影がないトーンでの送信は、本発明に従ってセルにおいて実装される送信制御メカニズムによって防がれる。これらのトーンは、図５に示される一例となるシンボル期間において未使用になるだろう。
【００６３】
列５０３は、列５０１において記載されたトーンとセクタＡにおける様々な通信チャネルとの関係を示す。同様に、列５０７は、列５０５において記載されたトーンとセクタＢにおける様々な通信チャネルとの関係を示す。同じ通信チャネルが、セクタＡおよびＢにおいてサポートされるが、送信されている符号化ブロックのサイズに依存する送信トーンに関してオーバーラップにおいて重大な差があることに留意する。
【００６４】
より大きな符号化ブロックに関して、図５では、セクタＡにおいてブロック５２４によって示されるように、大きな符号化データブロック、例えばトラフィックブロックに対応する情報を送信する際に送信トーン用に、トーン０、１、２（５０４、５０６、５０８）がトラフィックチャネルＡに割り当てられる。セクタＢでは、ブロック５５４によって示されるように、大きな符号化データブロック、例えば追加的なトラフィックブロックに対応する情報を送信する際に送信トーン用に、トーンの同じセット０、１、２（５３４、５３６、５３８）がトラフィックチャネルＢに割り当てられる。大きな符号化ブロックの送信の場合には、列５０９において示されるトーン０、１、２（５６４、５６６、５６８）のクロスハッチングによって示されるように、情報の送信のために割り当てられたトーンに関して十分なオーバーラップがある。
【００６５】
符号化情報の小さなブロック、例えば第１制御チャネルで送信された場合は、１つのセクタにおいて情報を送信するために用いられるトーンは、隣接するセクタにおいて未使用になる。列５０１では、トーン３および４（５１０、５１２）がセクタＡにおける送信トーン用に割り当てられ、それらが列５０３におけるブロック５２６によって示されるような制御チャネル１に対応することが例において見られうる。これらのトーンは、セクタＢにおける送信トーン用に割り当てられているトーン５および６（５４４、５４６）を備える図示されたシンボル送信時間中に、セクタＢにおいて未使用になる。セクタＢでは、トーン５および６はブロック５５６によって示されるような制御チャネル１に対応する。それらがセクタＢにおける小さな符号化ブロックの送信のために割り当てられる間に、トーン５および６（５１４、５１６）がセクタＡにおいて未使用になるように、送信がセクタＡにおいて制御されることに留意する。たとえ図示されたシンボル時間中、それらが情報の送信のために用いられなくても、セクタＡにおける未使用トーン５および６、およびセクタＢにおける未使用トーン３および４は、制御チャネル１に対応するように解釈されてもよい。小さな符号化ブロックを送信するために用いられる制御チャネル１の場合には、送信トーンに関してオーバーラップはない、つまり、トーン上で情報信号の送信のために割り当てられたトーンは各セクタで異なり、隣接セクタにおいて未使用となる。トーン３、４、５、６（５７０、５７２、５７４、５７６）は、第１制御チャネルに対応するこれらのトーンの場合に、セクタＡおよびＢにおける送信トーンに関するオーバーラップがないので、列５０９において陰影がないままである。
【００６６】
符号化情報の中間サイズブロック、例えば第２制御チャネルの上で送信された場合は、１つのセクタにおいて情報を送信するために用いられる全てではないトーンのいくつかは、隣接セクタにおいて未使用になる。列５０１では、トーン７および８が第１セクタにおける送信トーン用に割り当てられ、それらが列５０３におけるブロック５２８によって示されるような制御チャネル２に対応することが例において見られうる。これらのトーンのうち、トーン７（５４８）は、セクタＢにおける送信トーン用に割り当てられているトーン８および９（５５０、５５２）を備える図示されたシンボル送信時間中に、セクタＢにおいて未使用になる。セクタＢでは、送信トーン８および９（５５０、５５２）は、ブロック５５８によって示されるような制御チャネル２に対応する。それらがセクタＢにおける中間サイズ符号化ブロックの送信のために割り当てられる間に、トーン９（５２２）がセクタＡにおいて未使用になるように、送信がセクタＡにおいて制御されることに留意する。たとえ図示されたシンボル時間中、それらが情報の送信のために用いられなくても、セクタＡにおける未使用トーン９（５２２）、およびセクタＢにおける未使用トーン７は、制御チャネル２に対応するように解釈されてもよい。中間サイズ符号化ブロックを送信するために用いられる制御チャネル２の場合には、送信トーンに関して部分的にオーバーラップがある、つまり、いくつかのトーンは、両方のセクタにおいて用いられない一方、情報信号の実際の送信のために割り当てられた他のトーンは、両方のセクタにおいて用いられる。
【００６７】
トーン８（５８０）は完全な信号オーバーラップをもたらす送信目的のためにセクタＡおよびセクタＢの両方において用いられるので、トーン８（５８０）はクロスハッチされて示される一方、トーン７および９（５７８、５８２）は、これらのトーンの場合セクタＡおよびＢにおける送信トーンに関してオーバーラップがないので、列５０９において陰影がないままである。
【００６８】
図６の例証では、列６０５、６０７がセクタＢトーン割り当てに対応する一方、列６０１、６０３はセクタＡトーン割り当てに対応する。情報を送信する際の使用のために割り当てられるトーンを図示するために、陰影が列６０１、６０５において用いられる。これらの送信トーンは、システムローディングに依存する送信データに実際に用いられてもよいし、用いられなくてもよい。全て利用されるシステム情報では、これらのトーンで送信されるだろう。従って、本発明を説明するために、データが列６０１および６０５の影のあるトーンで送信されると仮定される。列６０１、列６０５において陰影がないトーンでの送信は、本発明に従ってセルにおいて実装される送信制御メカニズムによって防がれる。これらのトーンは、図６に示される一例となるシンボル送信期間において未使用になるだろう。
【００６９】
列６０３は、列６０１において記載されたトーンとセクタＡにおける様々な通信チャネルとの関係を示す。同様に、列６０７は、列６０５において記載されたトーンとセクタＢにおける様々な通信チャネルとの関係を示す。同じ通信チャネルが、セクタＡおよびＢにおいてサポートされるが、送信されている符号化ブロックのサイズに依存する送信トーンに関してオーバーラップにおいて重大な差があることに留意する。
【００７０】
より大きな符号化ブロックに関して、図６では、セクタＡにおいてブロック６２４によって示されるように、大きな符号化データブロック、例えばトラフィックブロックに対応する情報を送信する際に送信トーン用に、トーン２、３、４（６０８、６１０、６１２）がトラフィックチャネルＡに割り当てられる。セクタＢでは、ブロック６５４によって示されるように、大きな符号化データブロック、例えばトラフィックブロックに対応する情報を送信する際に送信トーン用に、トーンの同じセット２、３、４（６３８、６４０、６４２）がトラフィックチャネルＡに割り当てられる。大きな符号化ブロックの送信の場合には、列６０９において示されるトーン２、３、４（６６８、６７０、６７２）のクロスハッチングによって示されるように、情報の送信のために割り当てられたトーンに関して十分なオーバーラップがある。
【００７１】
符号化情報の小さなブロック、例えば第１制御チャネルで送信された場合は、１つのセクタにおいて情報を送信するために用いられるトーンは、隣接するセクタにおいて未使用になる。列６０１では、トーン５および６（６１４、６１６）がセクタＡにおける送信トーン用に割り当てられ、それらが列６０３におけるブロック６２６によって示されるような制御チャネル１に対応することが例において見られうる。これらのトーンは、セクタＢにおける送信トーン用に割り当てられているトーン７および８（６４８、６５０）を備える図示されたシンボル送信時間中に、セクタＢにおいて未使用になる。セクタＢでは、トーン７および８（６４８、６５０）はブロック６５６によって示されるような制御チャネル１に対応する。送信がセクタＡにおいて制御され、その結果、トーン７および８（６１８、６２０）がセクタＡにおいて未使用になり、一方、それらがセクタＢにおける小さな符号化ブロックの送信のために割り当てられることに留意する。たとえ図示されたシンボル時間中、未使用トーン７および８（６１８、６２０）、５および６（６４４、６４６）が情報の送信のために用いられなくても、セクタＡにおける未使用トーン７および８（６１８、６２０）、およびセクタＢにおける未使用トーン５および６（６４４、６４６）は、制御チャネル１に対応するように解釈されてもよい。小さな符号化ブロックを送信するために用いられる制御チャネル１の場合には、送信トーンに関してオーバーラップはない、つまり、トーンは、未使用となるために制御されているトーンとは対照的に、トーン上で情報信号の実際の送信のために割り当てられる。トーン５、６、７、８（６７４、６７６、６７８、７８０）は、第１制御チャネルに対応するこれらのトーンの場合に、セクタＡおよびＢにおける送信トーンに関するオーバーラップがないので、列６０９において陰影がないままである。
【００７２】
符号化情報の中間サイズブロック、例えば第２制御チャネルの上で送信された場合、１つのセクタにおいて情報を送信するために用いられる全てではないトーンのいくつかは、隣接セクタにおいて未使用になる。列６０１では、トーン０および９（６０４、６２２）がセクタＡにおける送信トーン用に割り当てられ、それらが列６０３におけるブロック６２８によって示されるような制御チャネル２に対応することが例において見られうる。
【００７３】
これらのトーンのうち、トーン９（６５２）は、セクタＢにおける送信トーン用に割り当てられているトーン０および１（６３４、６３６）を備える図示されたシンボル送信時間中に、セクタＢにおいて未使用になる。セクタＢでは、送信トーン０および１（６３４、６３６）は、ブロック６５８によって示されるような制御チャネル２に対応する。それがセクタＢにおける中間サイズ符号化ブロックの送信のために割り当てられる間に、トーン１（６０６）がセクタＡにおいて未使用になるように、送信がセクタＡにおいて制御されることに留意する。たとえ図示されたシンボル時間中、未使用トーン１、９が情報の送信のために用いられなくても、セクタＡにおける未使用トーン１（６０６）、およびセクタＢにおける未使用トーン９（６５２）は、制御チャネル２に対応するように解釈されてもよい。中間サイズ符号化ブロックを送信するために用いられる制御チャネル２の場合には、送信トーン（つまり、未使用となるために制御されているトーンとは対照的に、情報信号の実際の送信のために割り当てられたトーン）に関して部分的にオーバーラップがある。トーン０（６６４）の場合は、完全な信号オーバーラップをもたらす送信目的のためにセクタＡおよびセクタＢの両方において用いられるので、トーン０（６６４）はクロスハッチされて示される一方、トーン１および９（６６６、６８２）は、これらのトーンの場合セクタＡおよびセクタＢにおける送信トーンに関してオーバーラップがないので、列６０９において陰影がないままである。
【００７４】
描画７００による図７は、本発明を示すための３つのセクタ、一例となる３セクタＯＦＤＭ無線システムのセクタＡ、ＢおよびＣ、例えば図１のシステム１００のセル１０２のセクタ１ １１２、セクタ２ １１４、セクタ３ １１６における様々なダウンリンクチャネルへの一例となる送信トーン割り当てを示す。基地局２００からＷＴ３００へのダウンリンク通信のための利用可能なエアリンクリソースは、周波数スペクトル７０２によって表わされてもよい。各セクタＡ、ＢおよびＣにおいて、同じ周波数スペクトル７０２は同じＯＦＤＭトーン、例えば１０個の一例となるＯＦＤＭトーンに細分されてもよく、トーン０Ａ ７０４、トーン１Ａ ７０６、トーン２Ａ ７０８、トーン３Ａ ７１０、トーン４Ａ ７１２、トーン５Ａ ７１４、トーン６Ａ ７１６、トーン７Ａ ７１８、トーン８Ａ ７２０およびトーン９Ａ ７２２としてセクタＡにおいて識別され、トーン０Ｂ ７３４、トーン１Ｂ ７３６、トーン２Ｂ ７３８、トーン３Ｂ ７４０、トーン４Ｂ ７４２、トーン５Ｂ ７４４、トーン６Ｂ ７４６、トーン７Ｂ ７４８、トーン８Ｂ ７５０およびトーン９Ｂ ７５２としてセクタＢにおいて識別され、トーン０Ｂ ７６４、トーン１Ｂ ７６６、トーン２Ｂ ７６８、トーン３Ｂ ７７０、トーン４Ｂ ７７２、トーン５Ｂ ７７４、トーン６Ｂ ７７６、トーン７Ｂ ７７８、トーン８Ｂ ７８０およびトーン９Ｂ ７８２としてセクタＣにおいて識別される。
【００７５】
図７は完全にオーバーラップするトラフィックチャネルである、セクタＡトラフィックチャネルＡ ７２４、セクタＢトラフィックチャネルＢ ７５４、およびセクタＣトラフィックチャネルＣ ７８４を示す。図７はまた、オーバーラップしない制御１チャネルである、セクタＡ制御チャネル１Ａ ７２６、セクタＢ制御チャネル１Ｂ ７５６およびセクタＣ制御チャネル１Ｃ ７８６を示す。さらに、図７は部分的にオーバーラップする制御２チャネルである、セクタＡ制御チャネル２Ａ ７２８、セクタＢ制御チャネル２Ｂ ７５８およびセクタＣ制御チャネル２Ｃ ７８８を示す。トラフィックチャネル７２４、７５４および７８４は、３つのセクタのそれぞれにおいて送信のために同じ４つのトーン（０、１、２、３）を用いる。制御チャネル１ ７２６、７５６、７８６は、個別のセクタにおいて未使用になる他のトーンと共に送信トーンとして３つのトーン（４、５、６）のサブセットのうちの異なる１つをそれぞれ用いる。制御チャネル２ ７２８、７５８、７８８は、２つの隣接セクタのそれぞれの間で、１つのトーンはオーバーラップトーンであり、２つのトーンは３つのトーン（７、８、９）のサブセットからのオーバーラップしないトーンであるような送信トーンとして３つのトーン（７、８、９）のうちの２つをそれぞれ用いる。
【００７６】
セクタＡについては、ボックス７０４、７０６、７０８、７１０、７１２、７１８および７２０の左から右へ上昇する斜線陰影は、ＢＳ２００が、セクタＡにおけるチャネルに信号送信のために用いられるべきトーン０、１、２、３、４、７および８を割り当てたことを示す。セクタＢについては、ボックス７３６、７３８、７４０、７４４、７４８および７５２の左から右へ下降する斜線陰影は、ＢＳ２００が、セクタＢにおけるチャネルに信号送信のために用いられるべきトーン０、１、２、３、５、７および９を割り当てたことを示す。セクタＣについては、ボックス７６４、７６６、７６８、７７０、７７６、７８０および７８２の垂直線陰影は、ＢＳ２００が、セクタＣにおけるチャネルへの信号送信のために用いられるためにトーン０、１、２、３、６、８および９を割り当てたことを示す。
【００７７】
列７９０は、トーン０から９までのそれぞれを表わし、トーン０、１、２、３および７がセクタＡとＢとの間でオーバーラップする送信トーンを表すことを陰影によって示す。列７９２は、トーン０から９までのそれぞれを表し、トーン０、１、２、３および９がセクタＢとＣとの間でオーバーラップする送信トーンを表すことを陰影によって示す。列７９４は、トーン０から９までのそれぞれを表わし、トーン０、１、２、３および８がセクタＣとＡとの間のオーバーラップする送信トーンを表すことを陰影によって示す。
【００７８】
理解されうるように、１）第１サイズの符号化ブロック用のオーバーラップしない送信トーン、２）第１サイズより大きい第２サイズの符号化ブロック用の部分的にオーバーラップする送信トーン、３）第２サイズより大きい第３サイズの符号化ブロック用の完全にオーバーラップする送信トーンを用いるセルの隣接セクタにおける異なる送信チャネルを実装することを含む本発明の方法は、他のサイズの符号化ブロックについて意図される追加チャネルにまで拡張されうる。例えば、第４サイズの符号化ブロックは別のオーバーラップするチャネルである第４チャネルに対応するとして指定されてもよい。第４チャネルの場合には、第４サイズの符号化ブロックは、第２サイズの符号化ブロックより大きいが、第３サイズより小さい。１つのそのような実装では、第４チャネルに割当てられるオーバーラップするトーンのオーバーラップしないトーンに対する相対比は、ここで個々のセクタにおけるオーバーラップしないトーンが未使用であり、第２通信チャネルのそれより大きい。それゆえ、そのような実施形態では、第４通信チャネルは、第２通信チャネルより多いが第３通信チャネルより少ない周波数再利用を提供する。
【００７９】
本発明についての多数の追加バリエーションは可能である。例えば、複数のチャネルは、本発明によってサポートされた少なくとも３つの異なる符号化ブロックサイズの１以上についてサポートされてもよい。
【００８０】
本発明を実装するために用いられるモジュールは、ソフトウェア、ハードウェアとして、またはソフトウェアとハードウェアの組み合わせとして実装されてもよい。とりわけ、本発明は、本発明（例えば周波数再利用の異なる量を有するチャネルでの異なるサイズの符号化データブロックの送信）に従う１以上のステップを実装するためのプロセッサのようなデバイスを制御するため、機械読み取り可能な媒体、メモリを対象とする。
【００８１】
本発明の方法および装置は、ＣＤＭＡシステムを含む他の種類の通信システムと同様にＯＦＤＭ通信システムと共に用いられてもよい。
【図１】
2010530182.tif 000003
【図２】
2010530182.tif 000004
【図３】
2010530182.tif 000005
【図４】
2010530182.tif 000006
【図５】
2010530182.tif 000007
【図６】
2010530182.tif 000008
【図７】
2010530182.tif 000009
【手続補正書】
【提出日】平成22年4月13日(2010.4.13)
【手続補正１】
【補正対象書類名】明細書
【補正対象項目名】００３７
【補正方法】変更
【補正の内容】
【００３７】
ルーチン２１８は、通信ルーチン２２２および基地局制御ルーチン２２４を含む。基地局制御ルーチン２２４は、スケジューラモジュール２２６、およびダウンリンクトーンホッピングルーチン２３２および誤り訂正モジュール２３３を含むシグナリングルーチン２３０を含む。
【国際調査報告】
2010530182.tif 000010
2010530182.tif 000011
2010530182.tif 000012